(57)【特許請求の範囲】
【請求項１】
複数の設備を並行して監視して、それぞれ少なくとも１つの設備の状況に関する情報を表す複数の設備監視画面をそれぞれに与えられた画面番号に対応してファイル装置に保持する設備監視システムに備えられ、表示更新指示に応じて、前記複数の設備監視画面を表示手段に巡回表示する画面ローテーション表示装置において、
前記表示手段において、設備監視画面を表示するための複数の画面枠について、その位置および大きさに関する画面定義情報を保持する定義情報保持手段と、前記複数の設備監視画面それぞれに対応する画面番号をポインタによって巡回順序に従って結びつけた画面番号リストを保持するリスト保持手段と、
少なくとも１つの画面番号を示す情報と前記画面番号リストにおける移動先を示す情報とを含む巡回順序変更指示を受け取り、指定された画面番号からなる画面番号列を前記画面番号リストから切り離し、指定された移動先に接続する巡回順序変更手段と、
前記画面番号リストで示される巡回順序に従って、前記画面定義情報で示される画面枠それぞれに対応して表示対象とする複数の画面番号を読み出す巡回読出手段と、
前記巡回読出手段によって読み出された各画面番号に対応して前記ファイル装置に保持された設備監視画面と前記画面定義情報に基づいて、各画面枠に表示するための表示データを作成し、前記表示手段による表示処理に供する表示処理手段と
を備えたことを特徴とする画面ローテーション表示装置。
【請求項２】
請求項１に記載の画面ローテーション表示装置において、
リスト保持手段に保持された画面番号リストは、画面定義情報で示される複数の画面枠それぞれに割り当てられた画面番号からなる単位リストを連結した構成であり、
巡回順序変更手段は、前記単位リストについての巡回順序変更指示を受け取って画面番号リストの操作を行う構成であり、
巡回読出手段は、画面番号リストから前記単位リストごとに読み出して、表示対象として表示処理手段の処理に供する構成である
ことを特徴とする画面ローテーション表示装置。
【請求項３】
請求項１に記載の画面ローテーション表示装置において、
指定した画面枠に表示された設備監視画面を所定の画面枠に割り込んで表示する旨の割込指示の入力に応じて、巡回読出手段によって読み出された一連の画面番号から指定された画面番号を抽出する抽出手段と、
前記抽出手段によって得られた画面番号に対応してファイル装置に保持された設備監視画面と画面定義情報とに基づいて、前記設備監視画面を前記所定の画面枠に表示するための表示データを作成し、表示手段の処理に供する割込表示手段を備えた構成である
ことを特徴とする画面ローテーション表示装置。
【請求項４】
請求項１に記載の画面ローテーション表示装置において、
所定の時間間隔で表示更新指示を作成し、巡回読出手段に送出する更新指示作成手段と、
一時停止指示の入力に応じて、前記更新指示作成手段による表示更新指示送出動作を停止し、停止解除指示の入力に応じて、前記更新指示作成手段による表示更新指示送出動作を再開する表示更新制御手段とを備えた構成である
ことを特徴とする画面ローテーション表示装置。
【発明の詳細な説明】
【０００１】
【発明の属する技術分野】
本発明は、大規模な施設に設定された様々な設備を監視するための設備監視システムに備えられ、設備監視画面をオペレータに提供するための画面ローテーション表示装置に関するものである。
工場や発電所、インテリジェントビルなどの大規模な施設においては、各棟や各部屋に設置された多種多様な設備の動作状態などを監視するために、監視対象の装置などを示す模式図とともに、それぞれに対応して設置されたセンサによる感知結果やアラーム情報などの情報を表示する設備監視画面が作成され、画面ローテーション表示装置を介してオペレータによる監視作業に供されている。
上述したような大規模な施設には、膨大な数の監視対象となる設備があり、その監視項目もますます複雑、多様化してきている。
このため、監視作業にあたるオペレータが、効率よく監視作業を進めることを可能とするための支援技術が必要とされている。
【０００２】
【従来の技術】
図９に、従来の設備監視システムの構成例を示す。
図９に示した設備監視システムにおいて、複数の分散処理装置４０１およびファイル装置４０２はローカルエリアネットワーク（ＬＡＮ）などによって相互に接続されており、それぞれ配下に設けられた複数の監視装置４０３を介して監視対象の各設備の状況を表す監視情報を定期的に収集し、これらの監視情報と監視対象の設備などの模式図とを表す設備監視画面情報を作成して、ファイル装置４０２に保持された該当する設備監視画面情報を更新する構成となっている。
【０００３】
また、図９に示した画面ローテーション表示装置４１０において、画面ローテーション処理部４１１は、時刻管理部４１２からの表示更新通知に応じて、画面テーブル４１３に保持された画面番号を順次に読み出して、表示処理部４１４に送出する構成となっている。
上述した時刻管理部４１２は、所定の画面表示時間（例えば、３０秒）が経過するごとに、画面ローテーション処理部４１１に画面更新通知を送出する構成となっており、また、画面テーブル４１３には、予め決定された順序でローテーション表示の対象となる監視画面情報を示す画面番号（例えば、１番〜２０番）が格納されている。
【０００４】
また、表示処理部４１４は、画面ローテーション処理部４１１から受け取った画面番号に基づいて、通信処理部４１５を介してＬＡＮに接続されたファイル装置４０２から該当する監視画面情報を読み出し、表示制御部４１６を介してＣＲＴディスプレイ（ＣＲＴ）４１７に送出する構成となっている。
【０００５】
したがって、従来は、時刻管理部４１２からの表示更新通知に応じて、画面ローテーション処理部４１１が所定の時間間隔で動作することにより、画面テーブル４１３に予め格納された順番に従って設備監視画面が、図１０に示すように、ＣＲＴディスプレイ４１７の表示可能領域の大半を占める標準画面枠に順次に表示されていた。
【０００６】
また、オペレータは、このようにして順次に表示される設備監視画面を画面更新時間に渡って監視することにより、各設備の状況に関する情報を読み取り、必要な作業を行っていた。
【０００７】
【発明が解決しようとする課題】
従来の設備監視システムの設計当初は、設備監視画面の総数が２０画面程度であったため、例えば、表示更新時間を３０秒とすれば、１回のローテーションに要する時間は１０分程度であった。
【０００８】
また、当時のＣＲＴディスプレイの性能では、一度に表示する設備監視画面を１画面に限定せざるを得なかったため、上述したようにして、設備監視画面を１画面ずつローテーションすれば、監視作業には十分であると考えられていた。
しかしながら、近年では、設備監視システムの監視対象となる施設のオートメーション化が進んでおり、これに伴って、監視対象の設備が増大するとともに多様化し、また、各設備の動作状況を監視するために収集される監視情報も複雑になってきている。
【０００９】
このため、従来の画面ローテーション表示装置４１０をそのまま利用して、設備監視画面を１画面ずつ固定的な順序でローテーションしていたのでは、一回のローテーションに要する時間が長いために、重大な事象の発見が遅れてしまう可能性がある。
その一方、近年では、ＣＲＴディスプレイの表示精度が向上し、自由度の高い画面構成で設備監視画面を表示することが可能となったことから、ＣＲＴディスプレイの性能を活用して、設備監視システムによる監視作業を効率化することが求められている。
【００１０】
本発明は、画面構成や表示順序を柔軟に変更可能な画面ローテーション表示装置を提供することを目的とする。
【００１１】
【課題を解決するための手段】
図１に、本発明の画面ローテーション表示装置の原理ブロックを示す。
【００１２】
請求項１の発明は、複数の設備を並行して監視して、それぞれ少なくとも１つの設備の状況に関する情報を表す複数の設備監視画面をそれぞれに与えられた画面番号に対応してファイル装置１０１に保持する設備監視システムに備えられ、表示更新指示に応じて、複数の設備監視画面を表示手段１０２に巡回表示する画面ローテーション表示装置において、表示手段１０２において、設備監視画面を表示するための複数の画面枠について、その位置および大きさに関する画面定義情報を保持する定義情報保持手段１１１と、複数の設備監視画面それぞれに対応する画面番号をポインタによって巡回順序に従って結びつけた画面番号リストを保持するリスト保持手段１１２と、少なくとも１つの画面番号を示す情報と画面番号リストにおける移動先を示す情報とを含む巡回順序変更指示を受け取り、指定された画面番号からなる画面番号列を画面番号リストから切り離し、指定された移動先に接続する巡回順序変更手段１１３と、画面番号リストで示される巡回順序に従って、画面定義情報で示される画面枠それぞれに対応して表示対象とする複数の画面番号を読み出す巡回読出手段１１４と、巡回読出手段１１４によって読み出された各画面番号に対応してファイル装置１０１に保持された設備監視画面と画面定義情報に基づいて、各画面枠に表示するための表示データを作成し、表示手段１０２による表示処理に供する表示処理手段１１５とを備えたことを特徴とする。
【００１３】
請求項１の発明は、定義情報保持手段１１１に保持された画面定義情報に従って、巡回読出手段１１４および表示処理手段１１５が動作するので、画面定義情報の変更に応じて、様々な画面構成を適用して複数の設備監視画面を並行して表示するとともに、表示対象とする設備監視画面を定期的に入れ替えて、オペレータによる監視作業に供することができる。
【００１４】
更に、巡回順序変更手段１１３がリスト保持手段１１２に保持された画面番号リストを操作し、巡回読出手段１１４による読出処理に供することにより、設備監視画面が表示処理手段１１５を介して表示手段１０２によって表示される順序を変更することができる。
請求項２の発明は、請求項１に記載の画面ローテーション表示装置において、リスト保持手段１１２に保持された画面番号リストは、画面定義情報で示される複数の画面枠それぞれに割り当てられた画面番号からなる単位リストを連結した構成であり、巡回順序変更手段１１３は、単位リストについての巡回順序変更指示を受け取って画面番号リストの操作を行う構成であり、巡回読出手段１１４は、画面番号リストから単位リストごとに読み出して、表示対象として表示処理手段１１５の処理に供する構成であることを特徴とする。
【００１５】
請求項２の発明は、単位リストを連結した構成の画面番号リストに対して、順序変更手段１１３および巡回読出手段１１４が、単位リストごとにリストの操作および画面番号の読み出しを行うことにより、単位リストにおいて同一の位置を占める画面番号からなるグループと画面枠との対応関係を維持しながら、ローテーション表示を行うことができる。
【００１６】
請求項３の発明は、請求項１に記載の画面ローテーション表示装置において、指定した画面枠に表示された設備監視画面を所定の画面枠に割り込んで表示する旨の割込指示の入力に応じて、巡回読出手段１１４によって読み出された一連の画面番号から指定された画面番号を抽出する抽出手段１１６と、抽出手段１１６によって得られた画面番号に対応してファイル装置１０１に保持された設備監視画面と画面定義情報とに基づいて、設備監視画面を所定の画面枠に表示するための表示データを作成し、表示手段１０２の処理に供する割込表示手段１１７を備えた構成であることを特徴とする。
【００１７】
請求項３の発明は、割込指示の入力に応じて、抽出手段１１６および割り込み表示手段１１７が動作することにより、所定の画面枠に表示されていた設備監視画面の代わりに、指定された画面枠に表示されていた設備監視画面を割込表示することができる。
請求項４の発明は、請求項１に記載の画面ローテーション表示装置において、所定の時間間隔で表示更新指示を作成し、巡回読出手段１１４に送出する更新指示作成手段１１８と、一時停止指示の入力に応じて、更新指示作成手段１１８による表示更新指示送出動作を停止し、停止解除指示の入力に応じて、更新指示作成手段１１８による表示更新指示送出動作を再開する表示更新制御手段１１９とを備えた構成であることを特徴とする。
【００１８】
請求項４の発明は、一時停止指示および停止解除指示に応じて、表示更新制御手段１１９が更新指示作成手段１１８の動作を制御することにより、表示更新指示に応じた設備監視画面の更新動作を一時的に停止し、通常の更新時間間隔以上の期間に渡って、表示中の設備監視画面を維持して、オペレータによる詳細な監視作業に供することができる。
【００１９】
【発明の実施の形態】
以下、図面に基づいて、本発明の実施形態について詳細に説明する。
図２に、請求項１の画面ローテーション表示装置の実施形態を示す。
図２において、請求項１で述べた巡回読出手段１１４に相当するローテーション処理部２１１は、時刻管理部４１２からの表示更新通知に応じて動作し、画面定義体２１３に保持された画面構成情報に基づいて、リスト保持部２１４から適切な数の表示対象の画面番号を読み出し、表示処理部２１５の処理に供する構成となっている。
【００２０】
また、表示処理部２１５は、各画面番号で示される監視画面情報をファイル装置４０２から読み出して、画面定義体２１３に保持された画面構成情報で示される対応する表示画面枠に表示する表示データとして、表示制御部４１６を介して高精細ＣＲＴディスプレイ（ＣＲＴ）２０１（以下、単にＣＲＴディスプレイ２０１と称する）に送出する構成となっている。
【００２１】
上述した画面定義体２１３は、請求項１で述べた定義情報保持手段１１１に相当するものであり、図３(ａ)に示すような複数の画面枠（図３においては、符号ｆ１〜ｆ５を付して示す）それぞれについて、画面枠のサイズおよび表示位置を示す画面構成情報を保持している。
また、リスト保持部２１４は、請求項１で述べたリスト保持手段１１２に相当するものであり、図４(ａ)に示すように、ローテーション表示対象となる全ての画面番号L1〜Lnをローテーション順序に従ってポインタで繋げた画面番号リストを保持している。
【００２２】
この場合に、ローテーション処理部２１１は、上述した画面構成情報で示された画面枠それぞれに対応して、リスト保持部２１４に保持された画面番号リストから順次に画面番号を読み出し、これらの画面番号列を各画面枠に表示すべき設備監視画面を示す表示対象リストとして表示処理部２１５に送出すればよい。
また、表示処理部２１５は、請求項１で述べた表示処理手段１１５に相当するものであり、受け取った画面番号に対応する画面情報を通信処理部４１５を介してファイル装置４０２から読み出し、上述した画面定義体２１３に保持された画面構成情報で示される各画面枠に関する情報に基づいて、これらの画面枠にそれぞれ対応する設備監視画面を表示するための表示データを作成し、表示制御部４１６の処理に供すればよい。
【００２３】
このとき、例えば、図３に示した画面枠の配置を示す画面構成情報に基づいて、表示処理部２１５は、画面枠サイズが標準サイズであることが示された画面枠f3については、ファイル装置４０２から読み出した監視画面情報をそのまま表示データとして表示制御部４１６の処理に供すればよい。
【００２４】
一方、その他の画面枠は、画面構成情報によって、縮小サイズであることが示されているので、該当する監視画面情報に基づいてそれぞれ縮小画面情報を作成し、各画面枠に対応する表示データとして表示制御部４１６の処理に供すればよい。
これに応じて、表示制御部４１６が、請求項１で述べた表示手段１０２に相当する高精細ＣＲＴディスプレイ（ＣＲＴ）２０１（以下、単にＣＲＴディスプレイ２０１と称する）に表示データを送出するとともに、このＣＲＴディスプレイ２０１による表示動作を制御することにより、図３に示した各画面枠に、それぞれ設備監視画面を表示することができる。
【００２５】
このようにして、ＣＲＴディスプレイ２０１に同時に複数の設備監視画面を表示し、一度に大量の情報をオペレータに提供することが可能となるから、重大な事象の発生を迅速に発見することが可能となる。
また、この場合は、画面定義体２１３に保持する画面構成情報を変更することにより、一度に表示する画面枠の数や個々の画面枠のサイズを自由に変更することができるので、オペレータからの様々な要求に柔軟に対応することが可能であり、監視作業の効率向上に寄与することができる。
【００２６】
また、図２において、リスト操作部２１６は、キーボードやマウスなどの入力装置２０２あるいは上述したローテーション処理部２１１を介して入力された指示に応じて、指定された画面番号に関わるポインタを変更することにより、画面番号リストを操作する構成となっている。
このリスト操作部２１６は、少なくとも一つの画面番号からなる画面番号列と移動先とを指定する移動指示を受け取って、リスト保持部２１４に保持された画面番号リストにおいて、該当する画面番号と前後の繋がりを示すポインタを変更して指定された画面番号を画面番号リストから切り離し、指定された位置における新たな繋がりを示すポインタを生成する構成とすればよい。
【００２７】
例えば、ローテーション処理部２１１により、表示対象リスト｛L1・・・L5｝の先頭の画面番号L1を画面番号リストの末尾に移動する旨の移動指示が送出された場合に、リスト操作部２１６は、図４(ａ)に示すように、画面番号リストの先頭であるこの画面番号L1とその次の画面番号L2とを結ぶポインタを解除して画面番号リストから切り離し、切り離された画面番号L1を画面番号リストの末尾につなぐとともに、新たに先頭となった画面番号L2を画面番号リストの先頭とすればよい（図４(ｂ)参照）。
【００２８】
その後、ローテーション処理部２１１が、表示更新通知に応じて画面番号リストの先頭から画面枠に対応する画面番号を読み出せば、新たに先頭となった画面番号L2から画面番号L6が表示対象リストとして、表示処理部２１５の処理に供される。
これに応じて、ＣＲＴディスプレイ２０１に表示された各設備監視画面は、図３(ａ)において矢印で示すように、画面更新周期ごとに各画面枠を順次に移動し、画面枠f5に表示されていた設備監視画面が次の画面更新周期では表示対象から外され、代わりに画面枠f1に新しい設備監視画面が表示される。
【００２９】
図３に示したように、標準サイズ画面枠と縮小サイズの画面枠とからなる画面構成を採用したときに、上述したようにして、画面更新周期ごとに設備監視画面を順次に隣の画面枠にずらして表示していくことにより、全ての設備監視画面が順次に標準サイズで表示されるから、４つの縮小画面によって概略の監視を継続しつつ、標準サイズの画面枠に表示された設備監視画面について、詳細な監視を行うことが可能である。
【００３０】
この場合は、次に表示すべき画面番号が、常に、画面番号リストの先頭となっているから、ローテーション処理部２１１によって、単純に画面番号リストの先頭から所定の数の画面番号を読み込むことにより、設備監視画面のローテーションを行うことができるので、ローテーション処理部２１１のソフトウェア構成を単純化することができる。
【００３１】
また、入力装置２０２を介して、一連の画面番号を先頭に移動する旨の移動指示を受け取った場合に、リスト操作部２１６が、同様にして、該当する画面番号列を切り離し、画面番号リストの先頭からこの画面番号列の先頭の画面番号にポインタを繋げることにより、指定された画面番号列を画面番号リストの先頭に挿入することができる。
【００３２】
このように、入力装置２０２から受け取った移動指示に応じて、リスト操作部２１６が動作することにより、請求項１で述べた巡回順序変更手段１１３の機能を実現し、設備監視画面のローテーション順序を自由に変更可能とすることができる。
これにより、予め決定されたローテーション順序に関わらず、オペレータからの指示に応じて、例えば、図４(ｃ)に示すように、電源関係の一連の設備監視画面を示す画面番号列Ｇ1〜Ｇjを切り離し、図４(ｄ)に示すように、画面番号リストの先頭に移動することにより、画面番号Ｋ1〜Ｋmに対応する照明関係の一連の設備監視画面を後回しにして、電源関係の一連の設備監視画面を先に表示して、オペレータの要求に応えることができる。
【００３３】
このようにして、画面ローテーション順序を可変としたことにより、オペレータが必要とする情報を迅速に提供することが可能となり、オペレータによる監視作業を支援して、監視作業の効率向上を図ることができる。
一方、ローテーション対象の設備監視画面は、例えば、照明関連設備、空調関連設備、電源関連設備などそれぞれが関係している機能ごとに分類することができ、これらの機能それぞれについて、並行して監視したいという要望もある。
【００３４】
次に、上述したような機能ごとに分類された設備監視画面のグループを並行して監視する方法について説明する。
図５に、請求項２の画面ローテーション表示装置の実施形態を示す。
【００３５】
図５に示す画面ローテーション表示装置は、図２に示した画面ローテーション表示装置の各部に加えて、グループ管理テーブル２２１、リスト生成部２２２および画面構成決定部２２３を備えて構成されている。
図５に示したグループ管理テーブル２２１は、並行監視の対象とする個々のグループに対応して、そのグループに属する画面番号および割り当てられた画面枠を示す割り当て情報とを含むグループ構成情報を保持する構成となっている。
【００３６】
また、図５において、画面構成決定部２２３は、グループ管理テーブル２２１に登録されたグループの数に応じて適切な画面構成を決定し、この画面構成を表す画面構成情報を作成して画面定義体２１３に設定するとともに、各画面枠を各グループに割り当てて、この割り当て結果を示す割り当て情報をグループ管理テーブル２２１に登録する構成となっている。
【００３７】
また、図５に示したリスト生成部２２２は、グループ管理テーブル２２１に登録されたグループ構成情報に基づいて画面番号リストを生成し、リスト保持部２１４に格納する構成となっている。
このとき、リスト生成部２２２は、グループ管理テーブル２２１に各グループに対応して登録された画面番号をそれぞれ順次に読み出し、それぞれのグループに対応する割り当て情報で示される画面枠に対応する順序に従ってこれらの画面番号をつなぐポインタを設定していくことにより、一度にＣＲＴディスプレイ２０１に表示される表示対象リストに相当する単位リストを作成し、これらの単位リストを順次にポインタで結んで画面番号リストを生成すればよい。
【００３８】
ここで、各グループに属する設備監視画面の数はまちまちであるから、上述したようにして、グループ管理テーブル２２１に登録された各グループの画面番号を読み出していくときに、少なくとも一つのグループについては読み出すべき新たな画面番号がなくなってしまう場合がある。
【００３９】
例えば、図６(ａ)に示すように、グループ管理テーブル２２１にグループ１からグループ５に対応して、画面番号列｛Ｌ11・・・Ｌ1K｝、画面番号列｛Ｌ21・・・Ｌ2K｝、画面番号列｛Ｌ31・・・Ｌ3K-1｝、画面番号列｛Ｌ41・・・Ｌ4K｝、画面番号列｛Ｌ51・・・Ｌ5K｝が登録されている場合は、リスト生成部２２２がＫ番目の単位リストを作成する際に、グループ３に対応する画面番号列から新たに読み出すべき画面番号がなくなってしまう。
【００４０】
このような場合に、リスト生成部２２２は、読み出すべき新たな画面番号の代わりに、該当する設備画面がない旨を示す適切な情報を挿入して単位リストを構成し、他の単位リストと同様に画面番号リストに繋げればよい。
これにより、図６(ａ)に示した例では、図６(ｂ)に示すように、Ｋ番目の単位リストのグループ３に対応する要素として、画面番号が未設定である旨の情報（図６において、符号「−」で示す）を含んだ画面番号リストが生成される。
【００４１】
このように、リスト生成部２２２がグループ管理テーブル２２１に登録された情報に基づいて動作することにより、各グループに対応する画面番号を要素とする単位リストの連鎖として、請求項２で述べた構成を有する画面番号リストを生成することができる。
この場合に、ローテーション処理部２１１は、請求項２で述べた巡回読出手段１１４として動作し、表示更新周期ごとに、画面構成情報で示された画面枠分の画面番号を画面番号リストから単位リストを順次に読み出して、表示対象リストとして表示処理部２１５の処理に供すればよい。
【００４２】
また、このとき、ローテーション処理部２１１は、次のローテーション表示処理に先立って、表示対象リストに含まれる各画面番号をリスト操作部２１６に送出し、該当する単位リストを画面番号リストの末尾に移動する旨を指示すればよい。
このようにして、画面番号リストに含まれる各単位リストごとに、画面番号リストを操作することにより、常に、画面番号リストにおける各グループに対応する画面番号相互の順序を保つことができるから、図３(ｂ)に示すように、上述したグループ管理テーブル２２１において、対応関係が設定された画面枠に、各グループに属する設備監視画面をそれぞれローテーション表示することができる。
【００４３】
これにより、様々な設備をその機能ごとに複数のグループに分類し、それぞれのグループに属する設備監視画面を並行して監視することが可能となり、設備監視作業の効率向上を図ることができる。
また、各グループの特徴に応じて、画面構成情報および割り当て情報を作成することにより、例えば、複雑な設備監視画面を多く含むグループに標準サイズの画面枠を割り当てることが可能であり、並行して監視可能なグループ数を確保しつつ、オペレータにとって見やすい画面を提供することができる。
【００４４】
また一方、図５に示すように、入力装置２０２からの移動指示を中継してリスト操作部２１６に送出する受付処理部２２５を設け、この受付処理部２２５により、移動指示で指定された画面番号を含む単位リストを画面番号リストから検索して、移動対象としてリスト操作部２１６の処理に供する構成としてもよい。
このように、入力装置２０２から受け取った移動指示に応じて、受付処理部２２５およびリスト操作部２１６が動作することにより、複数のグループを並行して監視可能とした画面ローテーション表示装置において、請求項２で述べた巡回順序変更手段１１３の機能を実現し、設備監視画面の表示順序を単位リストごとに変更することができる。
【００４５】
ところで、上述したようにして設備監視画面をローテーション表示しているときに、いずれかの設備監視画面によって設備の異常などが報告された場合には、該当する設備監視画面を注視する必要がある。
次に、オペレータから指定された設備監視画面に注目してローテーション表示動作を制御する方法について説明する。
【００４６】
図７に、請求項３および請求項４の発明を適用した画面ローテーション表示装置の構成を示す。
図７に示す画面ローテーション表示装置は、図２に示した各部に加えて、割込表示制御部２３１と停止制御部２３２とを備え、入力装置２０２からの割込指示および一時停止指示に応じて、割込表示制御部２３１および停止制御部２３２がそれぞれ表示処理部２１５および時刻管理部４１２の動作を制御する構成となっている。
【００４７】
図７に示した割込表示制御部２３１において、表示リスト保持部２３３は、ローテーション処理部２１１から表示対象リストを受け取って、画面枠に対応してこの表示対象リストに含まれる画面番号を保持し、表示指示作成部２３４の処理に供する構成となっている。
この表示指示作成部２３４は、注目すべき設備監視画面が表示されている画面枠を示す割込指示に応じて、請求項３で述べた抽出手段１１６として動作し、割込指示で指定された画面枠に対応する画面番号を表示リスト保持部２３３から検索するとともに、画面定義体２１３を参照して標準サイズを有する画面枠を検索し、該当する画面番号の設備監視画面を検索結果で示された画面枠に表示する旨の表示指示を作成して、表示処理部２１５の処理に供する構成となっている。
【００４８】
例えば、図８(ａ)に示すように、１つの標準サイズの画面枠f3および４つの縮小サイズの画面枠f1、f2、f4、f5に、画面番号L1〜L5で示される設備監視画面をそれぞれ表示している場合に、画面枠f2を指定する割込指示の入力に応じて、表示指示作成部２３４は、表示リスト保持部２２３および画面定義体２１３から得られる該当する画面番号L2と画面枠f3とに基づいて、画面番号L2の設備監視画面を画面枠f3に表示する旨の表示指示を作成すればよい。
【００４９】
この表示指示に応じて、表示処理部２１５が動作することにより、画面枠f3に表示されていた画面番号L3に対応する設備監視画面に代えて、割込指示で指定された画面番号L2に対応する設備監視画面が画面枠f3に表示される。
【００５０】
このように、割込表示制御部２３１からの指示に応じて、表示処理部２１５が動作することにより、請求項３で述べた割込表示手段１１７の機能を実現し、各設備監視画面を表示する際に割り当てられた画面枠に関わらず、オペレータからの指示に応じて、指定された設備監視画面を標準サイズの画面枠に移して表示し、オペレータによる詳細な監視作業に供することができる。
【００５１】
また、このとき、表示指示作成部２３４により、表示リスト保持部２２３から標準サイズの画面枠に対応する画面番号（例えば、図８(ａ)において符号L3で示した）を検索し、割込指示で指定された画面枠（例えば、図８(ａ)において符号f2で示した）に表示する旨の表示指示を作成し、表示処理部２１５の処理に供すればよい。
【００５２】
これにより、図８(ｂ)に示すように、割込指示で指定された設備監視画面を標準サイズの画面枠に表示するとともに、この画面枠に表示されていた設備監視画面を割込指示で指定された画面枠に表示し、この設備監視画面についても縮小画像による監視を続けることができる。
また、図７に示すように、請求項４で述べた更新指示作成手段１１８に相当する時刻管理部４１２が、カウンタ２３６による計数動作を利用して画面更新通知を生成する構成である場合に、停止制御部２３２は、一時停止指示に応じて、このカウンタ２３６にディスエーブル信号を入力して計数動作を一時的に停止し、停止解除指示に応じて、上述したディスエーブル信号を解除すればよい。
【００５３】
このように、停止制御部２３２が時刻管理部４１２のカウンタ２３６の動作を制御することにより、請求項４で述べた表示更新制御手段１１９の機能を実現し、オペレータからの指示に応じて画面ローテーションの一時停止し、また画面ローテーションを再開することが可能となる。
これにより、画面更新時間の制限に関わらず、オペレータは、注目している設備監視画面を子細に観察することが可能となり、設備監視画面によって提供される情報を漏れなく受け取って、設備監視作業に有効に利用することができる。
【００５４】
このようにして、注目すべき設備監視画面が表示された段階で一時的に画面ローテーション処理を停止する機能を採用した場合は、表示された設備監視画面のいずれかによって設備の異常などに関する情報が提供されたときに、オペレータが自由に画面ローテーションを停止することができる。
したがって、オペレータは、表示された各設備監視画面によって設備の異常などが報告されているか否かを画面更新時間内に判断すれば十分であるから、画面更新時間を短縮して、登録された全ての設備監視画面のローテーションに要する時間を短縮することが可能である。
【００５５】
また、この一時停止機能と上述した標準画面枠への割込機能とを合わせて利用すれば、注目している設備監視画面を標準画面に表示させた上に、画面更新時間の制限に関わらず、詳細に検討することが可能となり、オペレータは、冷静かつ正確に設備の状況を判断し、適切な対処を行うことができる。
【００５６】
【発明の効果】
以上に説明したように、請求項１の発明によれば、自由に配置可能な複数の画面枠にそれぞれ設備監視画面を表示して、一度に大量の情報をオペレータに提供するとともに、オペレータからの指示に応じて、これらの画面枠に設備監視画面を表示する順番を自由に変更することが可能であるから、設備監視作業における操作の自由度を大幅に向上し、効率的な監視作業を行うことが可能である。
【００５７】
また、請求項２の発明によれば、単位リストにおいて同一の位置を占める画面番号からなるグループと画面枠との対応関係を維持しながら、ローテーション表示を行うことができるので、例えば、機能ごとに分類された設備監視画面のグループをそれぞれ画面枠に割り当てて、これらのグループに属する設備監視画面を並行して監視することができる。
【００５８】
一方、請求項３の発明によれば、オペレータからの指示に応じて、指定された設備監視画面を所定の画面枠に表示することができるので、例えば、縮小表示された設備監視画面を割込指示によって指定して、標準サイズの画面枠に移動させることができ、オペレータが指定した設備監視画面を随時に詳細に検討することができる。
【００５９】
また、請求項４の発明によれば、オペレータからの指示に応じて、画面ローテーション動作を一時的に停止することができるので、オペレータは、画面更新時間の制約に関わらず、注目している設備監視画面を詳細に検討することが可能である。
【図面の簡単な説明】
【図１】本発明の画面ローテーション表示装置の原理ブロック図である。
【図２】請求項１の画面ローテーション表示装置の実施形態を示す図である。
【図３】画面構成を説明する図である。
【図４】画面番号リストを説明する図である。
【図５】請求項２の画面ローテーション表示装置の実施形態を示す図である。
【図６】画面番号リストの作成処理を説明する図である。
【図７】請求項３および請求項４の発明を適用した画面ローテーション表示装置の構成図である。
【図８】割込表示動作を説明する図である。
【図９】従来の設備監視システムの構成例を示す図である。
【図１０】従来の画面ローテーション表示動作を説明する図である。
【符号の説明】
１０１、４０２  ファイル装置
１０２  表示手段
１１１  定義情報保持手段
１１２  リスト保持手段
１１３  巡回順序変更手段
１１４  巡回読出手段
１１５  表示処理手段
１１６  抽出手段
１１７  割込表示手段
１１８  更新指示作成手段
１１９  表示更新制御手段
２０１  高精細ＣＲＴディスプレイ（ＣＲＴ）
２０２  入力装置
２１１、４１１  ローテーション処理部
２１３  画面定義体
２１４  リスト保持部
２１５、４１４  表示処理部
２１６  リスト操作部
２２１  グループ管理テーブル
２２２  リスト生成部
２２３  画面構成決定部
２２４  受付処理部
２３１  割込表示制御部
２３２  停止制御部
２３３  表示リスト保持部
２３４  表示指示作成部
２３６  カウンタ
４０１  分散処理装置
４０２  ファイル装置
４０３  監視装置
４１０  画面ローテーション表示装置
４１２  時刻管理部
４１３  画面番号テーブル
４１５  通信処理部
４１６  表示制御部
４１７  ＣＲＴディスプレイ（ＣＲＴ）
【図１】
0003665709.tif 000002
【図２】
0003665709.tif 000003
【図３】
0003665709.tif 000004
【図４】
0003665709.tif 000005
【図５】
0003665709.tif 000006
【図６】
0003665709.tif 000007
【図７】
0003665709.tif 000008
【図８】
0003665709.tif 000009
【図９】
0003665709.tif 000010
【図１０】
0003665709.tif 000011